(57)【要約】【課題】  浮き袋使用中、手荷物を所持することでの起こりえる問題点を解決するための構造を提供する。【解決手段】  この浮き袋は、小物を収納するための小物収納空間９をなし、この空間を保持するために隔壁１１があり、隔壁１１は本体７の空間内周部に取り付けられることによって、各空間に分けられ本体内空間８と保持空間１０の三つの空間に別けられることとなり、本体内空間８と保持空間１０は基本的に空気室となり小物収納空間９は小物を収納するために外部と接続された入出口３との構成となり蓋６を設けることにより一括に手荷物を所持できるため、複数の手荷物を所持した時の紛失や蓋６があることによって水に濡れることへの防止、そして隔壁１１を作ることによっての複数空間が存在することでの本体７に穴が開いても小物収納空間９が水没することがなくなることにより、使用者の経済的損失を防止する浮き袋である。【選択図】  図１
2005059823.tif 000002
【特許請求の範囲】
【請求項１】
浮き袋内部に小物を収納する空間を有した遊泳用品。
【請求項２】
浮き袋内部の小物を収納する空間に外部と繋がる入出口を設け、そこから小物を出し入れ可能にした請求項１記載の遊泳用品。
【請求項３】
浮き袋内部に隔壁を設け、その隔壁内部に小物を収納する空間を有した請求項１及び２記載の遊泳用品。
【請求項４】
浮き袋内部の小物を収納する空間と隔壁とを繋げることによって、その空間自体が変形、及び収縮を防止することを目的とした空間の内部構造、請求項３記載の遊泳用品。
【請求項５】
隔壁内部に設けた小物を収納する空間に対して、外周部に空気圧をかけることにより、その空間を保持できるようにした請求項４記載の遊泳用品。
【請求項６】
外部と繋がる入出口を覆うことのできる蓋を設け、上記入出口を塞ぐことのできるようにした請求項１〜５のいずれか一項に記載の遊泳用品。
【発明の詳細な説明】
【発明の詳細な説明】
【技術分野】
【０００１】  本発明は、浮き袋の内部に収納ができる空間を有する遊泳用品に関する。
【技術背景】
【０００２】  従来の浮き袋は水中、水辺において、沈まずに浮いていられることを主とした遊泳用品である。
【発明の開示】
【発明が解決しようとする課題】
【０００３】  以上に述べた遊泳用品では、浮き袋使用中又は、移動中における手荷物を所持することでの起こりえる以下の問題点である。【０００４】  まず、手荷物があるときの浮き袋使用においては、手荷物を預けるか、所持しながら浮き袋を使用しなければならない等という問題がある。【０００５】  更に、浮き袋を所持し、かつ、他の手荷物を所持した上での移動中に、複数の物を所持している場合での紛失等の点でも問題である。【０００６】  又、遊泳中や水辺における場合では、防水された収納物がなければ、所持品が水に濡れてしまうといった点が問題であった。【０００７】  本発明は従来の上記記載事項のような問題を解決しようとするものであり、浮き袋内部に物を収納する構造と、収納した物が水にぬれることを防止する浮き袋を実現することを目的とするものである。
【課題を解決するための手段】
【０００８】  本発明は、上記目的を達成するために浮き袋内部に手荷物を収納できる空間とその空間に繋がる入出口を設け、その入出口を覆う蓋を設けることを要旨とする。【０００９】  さらに、浮き袋内部に隔壁を作り、隔壁と浮き袋内部に収納できる空間とを繋げることによってその空間をより安定させて保持する内部構造により、上記課題を解決するものとする。【００１０】  課題解決手段による作用は次の通りである。浮き袋内部に小物等を収納できる空間があるため、手荷物と浮き袋を一括に所持できることが可能になるとともに、紛失等も防止することができる。【００１１】  又、収納できる空間に対し蓋を設けることによって所持品が水に濡れてしまうことも防止できる。
【発明の効果】
【００１２】  上述したように本発明の小物入れ付き浮き袋は、複数の手荷物を一括して所持できることや、紛失又は、水に濡れてしまうなど経済的な損失から見ても防止可能な浮き袋を提供できる。【００１３】  そして、隔壁や小物収納空間を複数作ることにより、空気を保有する独立した空間が多数できるので、いずれかの空間から空気が流出しても空間が複数あることによって浮き袋が沈んでしまうことでの所持品を紛失する又は、水に濡れてしまうといった点でも効果を発揮するものである。
【発明を実施するための最良の形態】
【００１４】  本発明の実施の形態を、図１〜６に基づいて説明する。本発明は水において浮力が発生し、その物自体が浮いていられる浮き袋であり、形状においては多くのものに適応でき、例えば、空気入りビニール玩具等といったものに幅広く活用できるものであるが、以下に挙げる実施するための最良の形態は、浮き輪を適用した場合である。【００１５】  図１は、小物入れ付き浮き輪の斜視図で、図２はこれを平面視の状態でそれぞれ示した図である。また、図３及び図４では、小物入れ付き浮き輪を構成する小物入れ部分の断面図を示しており、図５及び図６では、上記小物入れ付き浮き輪内部の小物等を収納可能にするための入出口３及び蓋６の斜視図である。【００１６】  この小物入れ付き浮き輪は、小物を収納するための小物収納空間９をなし、この空間を保持するために、隔壁１１に接着又は、溶着され、隔壁１１は本体７の空間内周部に接着又は、溶着されることによって各空間に分けられ、本体内空間８と、保持空間１０と、小物の収納空間９の三つの空間に形成されることとなり、本体内空間８と保持空間１０は、基本的に空気室となり、小物収納空間９は小物を保持又は収納するために外部と接続された入出口３との構成となる。【００１７】  このように構成される小物入れ付き浮き輪は遊泳中などに小物が濡れてしまう等の弊害を防止する為に蓋６にて入出口３を塞ぐことによって、小物入れとしての機能も果たし、また、水に濡れてしまう等の弊害を防止することが可能となった。【００１８】  上記記載における小物収納空間９と、入出口３は蓋６によって塞ぐことができ、蓋６内径上部にシール材５を設けることによってさらに防水機能を高めることが可能となる。【００１９】  図５において、蓋６の取り付け部全体を押し込むことにより、本体７に格納等ができる構造や、図６においては、蓋６の取り付け部が最初から本体７に埋め込まれている状態で蓋６を螺子式に締めこむこともでき、本体７表面に対して突出しない形状としてもよい。【００２０】  また、上記図５に記載の、蓋６に取り付けてある引き上げるための紐４は、取り付け部全体を引き上げるためのものであり、押し込まれた蓋６と、取り付け部全体を簡単に引き上げることも可能である。【００２１】  また、上記蓋６や、入出口３は、更に良い活用形態であれば、いかなる構造や、形状、素材であってもよい。【００２２】  図１のように、空気注入及び排出弁２から空気を注入すると、本体内空間８より隔壁１１に設けられた空気通り穴１より保持空間１０にも空気が入っていき、本体内空間８と保持空間１０を同気圧にすることによって本体７の形状が図１の通り保持されることとなる。【００２３】  上記記載方法によって、小物収納空間９は萎んでしまう事無く蓋６の開閉が可能になる。【００２４】  上記構成の他に考えられる構成としては、隔壁１１に取り付けられた空気通り穴１を無くし、代わりに保持空間１０の外周部に対して空気注入及び排出弁２をもう一つ設けることによって、本体内空間８と保持空間１０を別々の空気室とすることによって、どちらか一方の空気室に穴が開いたとしても、どちらか一方が空気を保持している為に浮き輪が沈んでしまい所持品を紛失する及び、水に濡らしてしま��といったことを防止することができる。【００２５】  また、前期記載にかかわる小物入れ付き浮き輪において、図３及び４などに表記のある円筒形状のみにかかわらず、空間保持の為の形状が困難でなければ、いかなる形状にも工夫することができ、三角形や、四角形またはその他の複雑な形状であってもよい。【００２６】  上記記載事項における小物入れ付き浮き輪等の素材は、浮き袋状に構成されて空気を封入状態に維持するものであるならば、いかなる素材からなるものであってもよく、又、いかなる方法によって構成してあってもよい。
【図面の簡単な説明】
【図１】本発明の実施形態を示す浮き輪の斜視図。
【図２】同浮き輪の平面視図。
【図３】同浮き輪の図２におけるＡ−Ａの断面図
【図４】同浮き輪の図２におけるＢ−Ｂの断面図
【図５】蓋１０における一実施形態における斜視図
【図６】蓋１０における一実施形態における斜視図
【符号の説明】
１      空気通り穴
２      空気注入及び排出弁
３      入出口
４      引き上げるための紐
５      シール等
６      蓋
７      本体
８      本体内空間
９      小物収納空間
１０    保持空間
１１    隔壁
【図１】
2005059823.tif 000003
【図２】
2005059823.tif 000004
【図３】
2005059823.tif 000005
【図４】
2005059823.tif 000006
【図５】
2005059823.tif 000007
【図６】
2005059823.tif 000008